(57)【特許請求の範囲】
【請求項１】
被処理物に粘着剤を介して接着された固定部と、該固定部に連結され且つ前記固定部の表面に対して粘着剤を介して接着された第１展開部と、該第１展開部に連結され且つ前記第１展開部の表面に対して粘着剤を介して接着された第２展開部と、該第２展開部の先端に設けられた摘まみ部とからなる後処理テープであって、前記固定部、前記第１展開部および前記第２展開部は、いずれもポリプロピレンからなり、前記後処理テープの摘まみ部を有する一端側において前記固定部は折り返されて前記第１展開部に接着される第１接続部を有する一方、他端側において前記第１展開部は折り返されて前記第２展開部に接着される第２接続部を有しており、前記第１展開部は前記第１接続部よりも前記後処理テープの前記一端側に延設され、前記第２展開部は前記第２接続部よりも前記後処理テープの前記他端側に延設されて前記固定部の表面に対して粘着剤を介して接着されていて、前記固定部と前記第１展開部とを接着する粘着剤および前記第１展開部と前記第２展開部とを接着する粘着剤として同一の粘着剤を用いるとともに、前記固定部の表面と前記第１展開部の表面とに、それぞれ異なる剥離処理剤を塗布することにより、前記固定部の表面からの前記第１展開部の剥離を、前記第１展開部の表面からの前記第２展開部の剥離よりも軽くしたことを特徴とする後処理テープ。
【請求項２】
前記請求項１記載の後処理テープを用いたことを特徴とする使い捨ておむつ。
【発明の詳細な説明】
【０００１】
【発明の属する技術分野】
【０００２】
本願発明は、後処理テープおよび使い捨ておむつに関するものである。
【従来の技術】
【０００３】
使用済みの使い捨ておむつ等を丸めて処理する際に用いられる後処理テープとしては、三重に折り畳まれてＺ字状に構成されたものが従来からよく知られている（例えば、特許文献１参照）。
【０００４】
上記構成の後処理テープＴは、図２に示すように、被処理物（例えば、使い捨ておむつＡ）のバックシートに粘着剤Ｂを介して接着された固定部１と、該固定部１の一端において折り返された第１接続部１ａに連結され且つ前記固定部１の表面に対して粘着剤Ｂを介して接着された第１展開部２と、該第１展開部２の一端において折り返された第２接続部２ａに連結され且つ前記第１展開部２の表面に対して粘着剤Ｂを介して接着された第２展開部３と、該第２展開部３の先端に設けられた摘まみ部４とからなっている。
【０００５】
そして、この後処理テープＴは、摘まみ部４を矢印Ｐの方向に持ち上げ、第２および第１展開部２，３を剥がして展開し、図４に示すように、丸めた使い捨ておむつＡの股Ｋ側に第２展開部３を接着させることにより、使い捨ておむつＡを丸めた状態に保持し得るように作用することとなっている。このようにすると、使い捨ておむつＡがかさばることなく容易に処理できるのである。
【０００６】
上記構成の従来の後処理テープＴの場合、第２展開部の股側端部を第２接着部の端部と一致させている。このような構造とすると、第２展開部の接着力が不十分となり、製造工程や物流時に第２展開部が剥離してしまうおそれがある。そこで、図２に示すように、第１展開部２のウエストＷ側端部を延設してなる延設部２ｂを被処理物（例えば、バックシート１２）に接着するとともに、第２展開部３の股Ｋ側を延設してなる延設部３ｂを固定部１に対して接着する構造とすることにより、後処理テープＴをバックシート１２に対してウエストＷ側および股Ｋ側の２点で支持し、後処理テープＴの不用意な剥離を防止する試みがなされている（特許文献１参照）。
【０００７】
【特許文献１】
特開２００１−２５８９３８。
【発明が解決しようとする課題】
【０００８】
上記のように構成した場合、第２展開部３を接着している糊量が第１展開部２を接着している糊量より多くなる。つまり、第１展開部２が剥離しにくい構造となっているのである。
【０００９】
従来の後処理テープの場合、第１展開部がはがれにくい構造となっていないため、固定部１の表面および第１展開部２の表面には、同一のもの（即ち、同じ力で剥離可能な処理剤）を塗布しても、支障はなかった。例えば、中剥離処理剤（即ち、接着強度が２５０ｇ以上の処理剤）が塗布されていた。
【００１０】
ところが、上記したように、第２展開部３の股Ｋ側を延設して固定部１に対して接着する構造とすると、第２展開部３が固定部１に接着されているため、第１展開部２の表面に中剥離処理剤を塗布すると、第１展開部２と固定部１とが剥離しにくい構造となり、第１展開部２の展開途中に、固定部１が剥離してしまうおそれがある。
【００１１】
本願発明は、上記の点に鑑みてなされたもので、不用意な剥離を起こすことなく、展開時に必要な力を最小限ですますことができるようにすることを目的としている。
【課題を解決するための手段】
【００１２】
本願発明では、上記課題を解決するための手段として、被処理物に粘着剤を介して接着された固定部と、該固定部に連結され且つ前記固定部の表面に対して粘着剤を介して接着された第１展開部と、該第１展開部に連結され且つ前記第１展開部の表面に対して粘着剤を介して接着された第２展開部と、該第２展開部の先端に設けられた摘まみ部とからなる後処理テープにおいて、前記固定部、前記第１展開部および前記第２展開部を、いずれもポリプロピレンにより構成し、前記後処理テープの摘まみ部を有する一端側において前記固定部は折り返されて前記第１展開部に接着される第１接続部を有する一方、他端側において前記第１展開部は折り返されて前記第２展開部に接着される第２接続部を有しており、前記第１展開部は前記第１接続部よりも前記後処理テープの前記一端側に延設され、前記第２展開部は前記第２接続部よりも前記後処理テープの前記他端側に延設されて前記固定部の表面に対して粘着剤を介して接着されていて、前記固定部と前記第１展開部とを接着する粘着剤および前記第１展開部と前記第２展開部とを接着する粘着剤として同一の粘着剤を用いるとともに、前記固定部の表面と前記第１展開部の表面とに、それぞれ異なる剥離処理剤を塗布することにより、前記固定部の表面からの前記第１展開部の剥離を、前記第１展開部の表面からの前記第２展開部の剥離よりも軽くしている。
【００１３】
上記のように構成したことにより、摘まみ部を持って第２展開部を第１展開部から剥離し、次いで第２展開部を固定部から剥離することにより、後処理テープが展開完了するが、前記固定部と前記第１展開部とを接着する粘着剤および前記第１展開部と前記第２展開部とを接着する粘着剤として同一の粘着剤を用いるとともに、前記固定部の表面と前記第１展開部の表面とに、それぞれ異なる剥離処理剤を塗布することにより、前記固定部の表面からの前記第１展開部の剥離を、前記第１展開部の表面からの前記第２展開部の剥離よりも軽くしているため、第１展開部を固定部から剥離させるに要する力（換言すれば、第１展開部と固定部との接着力）が小さくなり、第１展開部の展開途中に固定部が剥離してしまうということがなくなる。しかも、第１展開部の表面に、前記固定部の表面に塗布された剥離処理剤より剥離が難しい中剥離処理剤を塗布しているため、第１展開部が不用意に剥離するということもなくなる。
【００１４】
また、上記後処理テープを使い捨ておむつの後処理用として用いた場合、使い捨ておむつの後処理がかさばることなく容易に行える。
【発明の実施の形態】
【００１５】
以下、添付の図面を参照して、本願発明の好適な実施の形態について説明する。
【００１６】
この後処理テープＴは、図１に示すように、使い捨ておむつＡの後処理用として使用されるものである。
【００１７】
前記使い捨ておむつＡは、液透過性のトップシート１１と、液不透過性のバックシート１２と、該バックシート１２と前記トップシート１１との間に介在された吸収体１３とを備えて構成されている。
【００１８】
前記後処理テープＴは、被処理物である使い捨ておむつＡのバックシート１２における適所（例えば、後見頃における左右方向中央部であってウエストＷ側に寄った位置）に取り付けられており、前記バックシート１２に粘着剤Ｂを介して接着され且つウエストＷ側から股Ｋ側に向かって延びる固定部１と、該固定部１のウエストＷ側一端において折り返された第１接続部１ａに連結され且つ前記固定部１の表面に対して粘着剤Ｂを介して接着された第１展開部２と、該第１展開部２の股Ｋ側一端において折り返された第２接続部２ａに連結され且つ前記第１展開部２の表面に対して粘着剤Ｂを介して接着された第２展開部３と、該第２展開部３の先端に設けられた摘まみ部４とによって構成されている。そして、本実施の形態においては、前記第１展開部２のウエストＷ側の端部には、該端部をウエストＷ側に向かって所定寸法だけ一体に延設してなる延設部２ｂが形成されており、該延設部２ｂは、前記バックシート１２に対して粘着剤Ｂを介して接着されている。また、前記第２展開部３の股Ｋ側の端部には、該端部を股Ｋ側に向かって所定寸法だけ一体に延設してなる延設部３ａが形成されており、該延設部３ａは、前記固定部１の表面に対して粘着剤Ｂを介して接着されている。このようにする理由は、２点に分散させるようにテープ起立点を不織布接着部分（換言すればバックシート１２への接着部分）の略センター寄り位置にするためである。
【００１９】
この後処理テープＴは、前述したように、摘まみ部４を矢印Ｐの方向に持ち上げ、第２および第１展開部２，３を剥がして展開し、丸めた使い捨ておむつＡの股Ｋ側に第２展開部３を接着させることにより、使い捨ておむつＡを丸めた状態に保持し得るように作用することとなっている（図４参照）。このようにすると、使い捨ておむつＡがかさばることなく容易に処理できるのである。
【００２０】
本実施の形態においては、前記固定部１の表面には、前記第１展開部２の表面に塗布される中剥離処理剤より軽い力で剥離可能な軽剥離処理剤が塗布されている。
【００２１】
上記のように構成したことにより、摘まみ部４を持って第２展開部３を第１展開部２から剥離し、次いで第２展開部２を固定部１から剥離することにより、後処理テープＡが展開完了するが、固定部１の表面に、前記第１展開部２の表面に塗布される中剥離処理剤より軽い力で剥離可能な軽剥離処理剤が塗布されているため、第１展開部２を固定部１から剥離させるに要する力（換言すれば、第１展開部２と固定部１との接着力）が小さくなり、第１展開部２の展開途中に固定部１が剥離してしまうということがなくなる。しかも、第１展開部２の表面に中剥離処理剤を塗布しているため、第１展開部３が不用意に剥離するということもなくなる。
【００２２】
上記構成の後処理テープにおける各部の仕様は、下記表１に示す通りである。
【００２３】
【表１】
0004243111.tif 000002
【００２４】
また、本実施の形態にかかる後処理テープ（実施例）と比較例（即ち、従来品）とにおける第１展開部の接着強度（１８０°剥離）試験結果を表２に示す。
【００２５】
【表２】
0004243111.tif 000003
【００２６】
上記結果によれば、前記軽剥離処理剤における接着強度を、１８０ｇ〜２５０ｇの範囲に設定するのが望ましく、そのようにした場合、実施例の展開性は、比較例の約７５％にまで落とせることとなっており、不用意に剥離することがなくなるとともに、展開時における第１展開部２の剥離に要する力を必要最小限とすることができる。
【００２７】
なお、この後処理テープは、使い捨ておむつ以外の吸収性物品にも適用可能である。
【発明の効果】
【００２８】
本願発明によれば、被処理物に粘着剤を介して接着された固定部と、該固定部に連結され且つ前記固定部の表面に対して粘着剤を介して接着された第１展開部と、該第１展開部に連結され且つ前記第１展開部の表面に対して粘着剤を介して接着された第２展開部と、該第２展開部の先端に設けられた摘まみ部とからなる後処理テープにおいて、前記固定部、前記第１展開部および前記第２展開部を、いずれもポリプロピレンにより構成し、前記後処理テープの摘まみ部を有する一端側において前記固定部は折り返されて前記第１展開部に接着される第１接続部を有する一方、他端側において前記第１展開部は折り返されて前記第２展開部に接着される第２接続部を有しており、前記第１展開部は前記第１接続部よりも前記後処理テープの前記一端側に延設され、前記第２展開部は前記第２接続部よりも前記後処理テープの前記他端側に延設されて前記固定部の表面に対して粘着剤を介して接着されていて、前記固定部と前記第１展開部とを接着する粘着剤および前記第１展開部と前記第２展開部とを接着する粘着剤として同一の粘着剤を用いるとともに、前記固定部の表面と前記第１展開部の表面とには、それぞれ異なる剥離処理剤を塗布することにより、前記固定部の表面からの前記第１展開部の剥離を、前記第１展開部の表面からの前記第２展開部の剥離よりも軽くして、第１展開部を固定部から剥離させるに要する力（換言すれば、第１展開部と固定部との接着力）が小さくなるようにしたので、第１展開部の展開途中に固定部が剥離してしまうということがなくなるという効果がある。しかも、第１展開部の表面に、前記固定部の表面に塗布された剥離処理剤より剥離が難しい中剥離処理剤を塗布しているため、第１展開部が不用意に剥離するということもなくなるという効果もある。
【００２９】
また、上記後処理テープを使い捨ておむつの後処理用として用いた場合、使い捨ておむつの後処理がかさばることなく容易に行える。
【図面の簡単な説明】
【図１】  本願発明の実施の形態にかかる後処理テープを備えた使い捨ておむつの正面図である。
【図２】  本願発明の実施の形態にかかる後処理テープの拡大断面図（図１のＩＩ−ＩＩ断面図）である。
【図３】  本願発明の実施の形態にかかる後処理テープの展開時の状態を示す拡大断面図である。
【図４】  後処理テープの使用状態を示す斜視図である。
【符号の説明】
１は固定部、１ａは第１接続部、２は第１展開部、２ａは第２接続部、３は第２展開部、４は摘まみ部、１１はトップシート、１２はバックシート、１３は吸収体、Ａは被処理物（使い捨ておむつ）、Ｔは後処理テープ、Ｋは股、Ｗはウエスト。
【図１】
0004243111.tif 000004
【図２】
0004243111.tif 000005
【図３】
0004243111.tif 000006
【図４】
0004243111.tif 000007